(57)【要約】【課題】表示材２を作成する際に、面倒な接着等による止め付け作業が不要となり、また、この表示材２を別の端子１ｂに容易に付け替えることもできる電池を提供する。【解決手段】宣伝広告文や警告注意表示等を印刷した表示材２を肩部に係止した角型の鉛蓄電池１において、ほぼ垂直方向のシート状の表示材２をほぼ垂直方向の折り目で折り曲げて形成した一方の第１表示部２１を側面１１又は側面１４の前に配置し、他方の第２表示部２２を側面１２又は側面１１の前に配置すると共に、この第１表示部２１の上方に突出した第１係止部２４と、この第２表示部２２の上方に突出した第２係止部２５とをそれぞれほぼ水平方向の折り目で折り曲げて重ね合わせ、これら係止部２４，２５にそれぞれ形成された端子孔２４ａ，２５ａを上面１３から突出する端子１ａ又は端子１ｂに外嵌係止した構成とする。【選択図】図１
2005079016.tif 000002
【特許請求の範囲】
【請求項１】
情報の表示を行う表示材を肩部に係止した角型の電池において、ほぼ垂直方向のシート状の表示材をほぼ垂直方向の折り目で折り曲げて形成した一方の第１表示部を一の電池側面の前に配置し、他方の第２表示部をこの電池側面に隣接する他の電池側面の前に配置すると共に、この第１表示部の上方に突出した第１係止部と、この第２表示部の上方に突出した第２係止部とをそれぞれほぼ水平方向の折り目で折り曲げて重ね合わせ、これら第１係止部と第２係止部にそれぞれ形成された端子孔又は端子切り欠き部の重なり合いによって構成された孔を電池上面から突出する端子に外嵌係止したことを特徴とする電池。
【請求項２】
前記第１係止部と第２係止部にそれぞれ形成された端子孔又は端子切り欠き部の重なり合いによって構成された孔が、電池上面から突出するいずれの端子にも係止可能な形状であることを特徴とする請求項１に記載の電池。
【発明の詳細な説明】
【技術分野】
【０００１】
本発明は、宣伝広告文や警告注意表示等の情報の表示を行うために、表示材を肩部に係止した角型の電池に関するものである。
【背景技術】
【０００２】
自動車用の鉛蓄電池を店頭で販売するために包装を解いて展示する場合、図３に示すように、この鉛蓄電池１の肩部にスポッタと称される表示材２を係止して棚等に陳列することが多い（例えば、特許文献１参照）。この表示材２は、厚紙を折り曲げて形成した３枚の厚紙片により、互いに直交する第１表示部２１と第２表示部２２と係止部２３とを構成したものである。そして、垂直な第１表示部２１と第２表示部２２をこの鉛蓄電池１の角を跨いで隣接する側面１１，１２の前に配置すると共に、水平な係止部２３に形成された端子孔２３ａを鉛蓄電池１の上面１３から突出する負極側の端子１ａに外嵌することにより、表示材２を鉛蓄電池１に係止する。また、係止部２３の端子孔２３ａを外嵌した端子１ａには、図示しない保護用のキャップを被せることにより、表示材２の係止を確実にし鉛蓄電池１から容易に外れないようにする。
【０００３】
上記表示材２の第１表示部２１は、ほぼ直方体形状の鉛蓄電池１の広い方の側面１１の前に配置され、この鉛蓄電池１の特徴や仕様、形式名等の宣伝広告文等を表示して、顧客の注目を引くと共に購買意欲を起こさせるようにしている。また、第２表示部２２は、鉛蓄電池１の狭い方の側面１２の前に配置され、使用方法や取り扱い方法に関する警告注意表示等を表し、購買者に注意を促すようにしている。
【０００４】
ところが、上記表示材２は、１枚の厚紙を折り曲げて形成するにしても、最低１箇所は接着等により止め付けないと、表示部２１，２２や係止部２３からなる３面が互いに直交した形状を維持することができない。例えば図３に示す表示材２の場合には、係止部２３の端辺からさらに突出する図示しない糊代部を形成しておき、この糊代部の表面を第２表示部２２の上端部裏面に接着することにより３面が直交した形状を維持するようにしている。このため、従来は、表示材２を作成するために、厚紙に印刷して裁断し折り曲げる他に、接着等の止め付け作業が必要になるという問題があった。
【０００５】
また、上記鉛蓄電池１を店頭の棚に陳列する場合、広い方の側面１１を正面側に向けて展示されるのであれば、顧客に最初に見て欲しい宣伝広告文等を表示した第１表示部２１が正面側を向くことになるが、陳列スペースの制限等の理由から狭い方の側面１２を正面側に向けて展示されると、警告注意表示等を表した第２表示部２２が正面側を向くことになり、需要者に対して十分な宣伝広告効果を得ることができないようになるという問題もあった。即ち、実際の鉛蓄電池１の上面１３から突出する端子１ａの位置は、内部の電槽や極板の配置の関係で、双方の側面１１，１２までの距離が相違するものがほとんどである。そして、この端子１ａに端子孔２３ａを外嵌して係止する表示材２も、取り付ける鉛蓄電池１の端子１ａが決まっている。このため、表示材２を別の端子１ｂに付け替えることにより、図３では隠れた狭い方の側面１４を正面側に向けて、この側面１４の前に宣伝広告文等を表示した第１表示部２１を配置させることができないことになる。
【特許文献１】特許第３０３５７０１号公報
【発明の開示】
【発明が解決しようとする課題】
【０００６】
本発明は、鉛蓄電池の表示材を作成する際に、面倒な接着等による止め付け作業が必要となるという問題を解決しようとするものである。また、この表示材を別の端子に付け替えることができないために、鉛蓄電池の陳列方向が限定されるという問題を解決しようとするものである。
【課題を解決するための手段】
【０００７】
請求項１の発明は、情報の表示を行う表示材を肩部に係止した角型の電池において、ほぼ垂直方向のシート状の表示材をほぼ垂直方向の折り目で折り曲げて形成した一方の第１表示部を一の電池側面の前に配置し、他方の第２表示部をこの電池側面に隣接する他の電池側面の前に配置すると共に、この第１表示部の上方に突出した第１係止部と、この第２表示部の上方に突出した第２係止部とをそれぞれほぼ水平方向の折り目で折り曲げて重ね合わせ、これら第１係止部と第２係止部にそれぞれ形成された端子孔又は端子切り欠き部の重なり合いによって構成された孔を電池上面から突出する端子に外嵌係止したことを特徴とする。
【０００８】
請求項２の発明は、前記第１係止部と第２係止部にそれぞれ形成された端子孔又は端子切り欠き部の重なり合いによって構成された孔が、電池上面から突出するいずれの端子にも外嵌係止可能な形状であることを特徴とする。
【発明の効果】
【０００９】
請求項１の発明によれば、第１表示部の第１係止部と第２表示部の第２係止部とを電池の上面の上で重ね合わせて、これらの第１係止部と第２係止部の端子孔をいずれかの端子に外嵌係止するので、接着等による止め付けを行うことなく、第１表示部と第２表示部とこれら第１係止部及び第２係止部とが互いに折れ曲がった形状を維持することができるようになる。即ち、第１係止部と第２係止部の端子孔が端子に外嵌されるので、第１表示部と第２表示部との折れ曲がり角度が広がるようなことがなくなる。また、第１係止部と第２係止部の端子孔が端子に係止されることにより、第１表示部と第１係止部との折れ曲がり角度や第２表示部と第２係止部との折れ曲がり角度が広がるようなこともない。しかも、端子に従来から一般に用いられている保護用のキャップ等を被せるだけで、この第１係止部と第２係止部の端子孔の端子への係止が確実なものとなる。なお、これら第１係止部と第２係止部に端子孔を形成する代わりに、それぞれ端子切り欠き部を形成し、これらの重なり合いによって孔を構成させるようにすることもできる。
【００１０】
請求項２の発明によれば、電池の各端子とその近傍で隣接する側面との間の距離に相違がある場合にも、端子孔等が重なり合った孔形状によって、いずれの端子にも外嵌係止できるようになっている。このような孔形状としては、長円形やくびれを有する瓢箪形、長方形、扇形等がある。このようにして端子孔等が重なり合った孔がいずれの端子にも外嵌係止できるようになると、表示材を別の端子に付け替えることができるようになり、いずれの側面が正面側を向いて陳列されたときでも、第１表示部と第２表示部のいずれかを常にこの正面側に向けることができるようになる。
【発明を実施するための最良の形態】
【００１１】
以下、本発明の最良の実施形態について説明する。
【００１２】
本実施形態では、上記従来例と同じ構成の鉛蓄電池１について説明する。なお、ここでも、図３に示した従来例と同様の機能を有する構成部材には同じ番号を付記する。この鉛蓄電池１に取り付ける表示材２は、図２に示すように、１枚の厚紙を折り曲げて形成した４枚の厚紙片、即ち、第１表示部２１と第２表示部２２と第１係止部２４と第２係止部２５とによって構成されている。第１表示部２１と第２表示部２２は、垂直方向の折り目で折り曲げて互いに直交する垂直に配置された厚紙片である。そして、第１表示部２１は、表面に鉛蓄電池１の特徴や仕様、形式名等の宣伝広告文等が印刷されて、図１に示すように、鉛蓄電池１の広い方の側面１１の前に配置される。また、第２表示部２２は、表面に鉛蓄電池１の使用方法や取り扱い方法に関する警告注意表示等が印刷されて、鉛蓄電池１の狭い方の側面１２の前に配置される。
【００１３】
上記第１係止部２４は、第１表示部２１の上端辺からさらに上方に突出した厚紙片であり、この第１表示部２１とは水平方向の折り目で第２表示部２２側に折り曲げることにより直交している。また、第２係止部２５は、第２表示部２２の上端辺からさらに上方に突出した厚紙片であり、この第２表示部２２とは水平方向の折り目で第１表示部２１側に折り曲げることにより直交している。そして、これらの第１係止部２４と第２係止部２５は、ここでは第１係止部２４が上になって、水平な状態で重なり合うようにしている。また、これらの第１係止部２４と第２係止部２５には、それぞれ端子孔２４ａ，２５ａが形成されている。これらの端子孔２４ａ，２５ａは、いずれも鉛蓄電池１の端子１ａの最大径よりも僅かに大きい２つの丸孔を、これらの丸孔の端部を重複させて穿設したような瓢箪形の形状であり、第１係止部２４と第２係止部２５が重なり合ったときにこれらの端子孔２４ａ，２５ａも重なり合うような位置にそれぞれ形成されている。
【００１４】
上記水平な状態で重なり合った第１係止部２４と第２係止部２５は、鉛蓄電池１の上面１３の上に配置されると共に、端子孔２４ａ，２５ａが端子１ａに外嵌係止される。この端子孔２４ａ，２５ａが外嵌される端子１ａは、表示部２１，２２が配置される側面１１，１２の角に最も近い負極側のものが用いられることになる。そして、瓢箪形の端子孔２４ａ，２５ａの２つの丸孔のうち、一方側の丸孔がこの端子１ａに外嵌することになる。
【００１５】
上記のように係止部２４，２５の端子孔２４ａ，２５ａが端子１ａに外嵌されると、これによって表示材２自体が鉛蓄電池１の肩部に係止されることになる。ただし、係止部２４，２５の水平な折り目に十分な折り癖が付いていない場合には、直角の折れ曲がりの角度がさらに広がろうとするので、端子孔２４ａ，２５ａが端子１ａから外れるおそれが生じる。そこで、この端子１ａには、端子孔２４ａ，２５ａを外嵌した後に、図示しない保護用のキャップを被せることにより、係止部２４，２５が外れるのを確実に防止できるようにしている。この保護用のキャップは、未使用の鉛蓄電池１の端子１ａ，１ｂが腐食したり汚れるのを防止すると共に、正負極の端子１ａ，１ｂ間が短絡するのを防止するために、従来から使用されているものである。
【００１６】
上記構成の鉛蓄電池１は、広い方の側面１１を正面側に向けて棚等に陳列すれば、この側面１１の前に配置された第１表示部２１が正面側を向くことになり、この第１表示部２１の表面に印刷された宣伝広告文等を顧客に目立つように展示することができるようになる。ただし、この場合には、狭い方の側面１２の前に配置された第２表示部２２の警告注意表示等は、隣に陳列された他の鉛蓄電池との間や陳列棚の端壁等との間に隠れて正面側からは見にくくなる。しかしながら、この第２表示部２２の警告注意表示等は、鉛蓄電池１を購入する動機付けとなるようなものではなく、顧客が購入を決断する最終段階や購入後に見ればよいものであるため、店頭での展示の際には、第１表示部２１の宣伝広告文等を正面側に向ける方が好ましいものとなる。
【００１７】
また、販売店によっては、陳列スペースが狭かったり同じ幅の陳列スペースにより多くの商品を展示するために、鉛蓄電池１における狭い方の側面１２を正面側に向けて陳列する場合がある。そして、この場合には、表示材２が上記のままでは、第２表示部２２の警告注意表示等が正面側を向くことになり、第１表示部２１の宣伝広告文等が見にくくなるので、顧客の注目を引くことができない。そこで、この場合には、表示材２を係止する端子１ａを端子１ｂに付け替え、図１では隠れた側面１４を正面側に向けて陳列する。即ち、第２表示部２２を広い方の側面１１の前に配置すると共に、第１表示部２１を狭い方の側面１４の前に配置し、上面１３の上で重ね合わせた係止部２４，２５の端子孔２４ａ，２５ａを正極側の端子１ｂに外嵌係止する。また、この端子１ｂに保護用のキャップを被せることにより、表示材２の係止を確実なものにする。このように表示材２を付け替えた鉛蓄電池１は、狭い方の側面１４の前の第１表示部２１が正面側を向くことになり、この第１表示部２１の宣伝広告文等を顧客に目立つように展示することができるようになる。
【００１８】
ここで、本実施形態の鉛蓄電池１は、端子１ａ，１ｂの突出位置から広い方の側面１１までの距離に比べて、最寄りの狭い方の側面１２，１４までの距離の方が短くなっている。従って、上記のように表示材２を負極側の端子１ａから正極側の端子１ｂに付け替えたときに、係止部２４，２５の瓢箪形の端子孔２４ａ，２５ａにおける端子１ａに外嵌した方の丸孔を端子１ｂにも外嵌させようとすると、第１表示部２１と狭い方の側面１４との間に隙間が生じるだけでなく、第２表示部２２が上面１３に引っ掛かって広い方の側面１１の前に配置することができない。そこで、これらの端子孔２４ａ，２５ａは、端子１ａに外嵌した方とは別の丸孔を端子１ｂに外嵌する。即ち、これら瓢箪形の端子孔２４ａ，２５ａの２つの丸孔のうちの一方の丸孔は、負極側の端子１ａに外嵌されたときに表示部２１，２２がそれぞれ側面１１，１２の直前に配置されるような位置に形成されると共に、他方の丸孔は、正極側の端子１ｂに外嵌されたときに表示部２１，２２がそれぞれ側面１４，１１の直前に配置されるような位置に形成されている。
【００１９】
この結果、本実施形態の鉛蓄電池１によれば、表示材２の第１表示部２１と第２表示部２２を直交するように折り曲げると共に、上面１３の上で係止部２４，２５も表示部２１，２２に対してそれぞれ直交するように折り曲げて重ね合わせ、端子孔２４ａ，２５ａを端子１ａ又は端子１ｂに外嵌するだけで、この表示材２を鉛蓄電池１の肩部に係止することができるので、この表示材２を作成する際に、面倒な接着等の止め付け作業を不要にすることができる。しかも、端子１ａ，１ｂに保護用のキャップやその他の物を被せれば、この表示材２の係止をさらに確実なものにすることができる。
【００２０】
また、端子孔２４ａ，２５ａは、２つの丸孔が繋がった瓢箪形に形成されているので、端子１ａ，１ｂから側面１１，１２や側面１１，１４までの距離が異なる場合にも、係止する端子１ａ，１ｂを容易に付け替えることができるようになる。このため、鉛蓄電池１を店頭で展示する際の陳列方向に応じて、宣伝広告文等が表示された第１表示部２１を常に正面側に向けることができるようになり、どのような陳列方法であっても顧客の注目を引くことが可能となる。
【００２１】
なお、上記実施形態では、表示材２の係止部２４，２５の端子孔２４ａ，２５ａが共に瓢箪形の孔である場合を示したが、これら係止部２４，２５のいずれか又は双方共に端子切り欠き部が形成され、係止部２４，２５が重なり合うことにより孔となる場合も同様である。第１表示部２１と第２表示部２２は、直交して隣接する側面１１，１２又は側面１１，１４の前に配置されるので、これらの折り目の折れ曲がりの角度が直角よりも大幅に狭くなることはない。従って、これらの係止部２４，２５には、端子孔２４ａ，２５ａに代えて、第１表示部２１と第２表示部２２の折れ曲がりの角度が狭くなるように変化したときに端子１ａ又は端子１ｂの係止が外れてしまうような開口した端子切り欠き部を形成することもできる。ただし、係止部２４，２５にこのような端子切り欠き部を形成する場合には、第１表示部２１と第２表示部２２の折れ曲がりの角度が広くなる方向に変化しようとしたときに、端子１ａ又は端子１ｂがこれらの端子切り欠き部の奥に当たってそれ以上開けないようになっていることが好ましい。
【００２２】
また、上記実施形態では、係止部２４，２５の端子孔２４ａ，２５ａを瓢箪形に形成した場合を示したが、この瓢箪形のくびれをなくした長円形や角のある長方形又は扇形等に形成することもできる。さらに、端子１ａ用の丸孔と端子１ｂ用の丸孔が重なり合わない場合には、別個の２つずつの端子孔２４ａ，２５ａを形成することもできる。さらに、端子１ａ，１ｂから側面１１，１２又は側面１１，１４までの距離が等しい場合には、１つの丸孔等からなる端子孔２４ａ，２５ａだけを形成することもできる。
【００２３】
また、上記実施形態では、上面１３から正負極の端子１ａ，１ｂが１つずつ突出した鉛蓄電池１を示したが、複数個ずつの端子が突出した鉛蓄電池１にも同様に実施可能である。しかも、この場合、端子孔２４ａ，２５ａや端子切り欠き部の孔は、２つ以上の端子に外嵌するようにしてもよい。
【００２４】
また、上記実施形態では、厚紙で作成した表示材２について示したが、シート状のものであれば材質は限定されない。例えば、樹脂フィルムや絶縁の問題がなければ金属薄板等を用いることもできる。さらに、上記実施形態では、第１表示部２１に宣伝広告文等を印刷し、第２表示部２２に警告注意表示等を印刷した場合を示したが、これら表示部２１，２２に表示する情報の内容は任意であり、表示方法も印刷には限定されない。
【００２５】
また、上記実施形態では、第１表示部２１と第２表示部２２と係止部２４，２５が互いに直交する場合を示したが、鉛蓄電池１の形状に応じて、多少角度が異なっていてもよい。さらに、上記実施形態では、角型の鉛蓄電池１について示したが、上面に端子が突出し、この上面や側面がほぼ直交する角型電池であれば、電池の種類は限定されない。
【図面の簡単な説明】
【００２６】
【図１】本発明の一実施形態を示すものであって、肩部に表示材を係止した鉛蓄電池の斜視図である。
【図２】本発明の一実施形態を示すものであって、表示材の構成を示す組み立て斜視図である。
【図３】従来例を示すものであって、鉛蓄電池とこの鉛蓄電池の肩部に係止する表示材の斜視図である。
【符号の説明】
【００２７】
１      鉛蓄電池
１ａ    端子
１ｂ    端子
１１    側面
１２    側面
１３    上面
１４    側面
２      表示材
２１    第１表示部
２２    第２表示部
２４    第１係止部
２４ａ  端子孔
２５    第２係止部
２５ａ  端子孔
【図１】
2005079016.tif 000003
【図２】
2005079016.tif 000004
【図３】
2005079016.tif 000005